(57)【特許請求の範囲】
【請求項１】
上面開放の箱形をなしかつ側壁に持ち手孔が貫通形成された容器と、前記容器の上面開口を閉塞する蓋体とからなる蓋体付き容器であって、
前記蓋体は、前記持ち手孔を前記容器の内側から覆う孔カバー部を下面に備え、
前記容器は、前記側壁の内側面のうち前記持ち手孔の真上部分を陥没させてなる凹部を備える蓋体付き容器。
【請求項２】
前記蓋体を前記容器に固定するための複数の係止片が前記蓋体に備えられている請求項１に記載の蓋体付き容器。
【発明の詳細な説明】
【技術分野】
【０００１】
本発明は、容器の上面開口を閉塞する蓋体及び、その蓋体を有する蓋体付き容器に関する。
【背景技術】
【０００２】
従来、この種の蓋体付き容器として、手を差し込むための持ち手孔が側壁に貫通形成されたものが知られている（例えば、特許文献１参照）。
【先行技術文献】
【特許文献】
【０００３】
【特許文献１】実開昭５６−８１８８０号公報（図１、図２）
【発明の概要】
【発明が解決しようとする課題】
【０００４】
上述した従来の蓋体付き容器においては、上面に蓋体を取り付けても、持ち手孔から内容物が飛び出してしまう虞があった。
【０００５】
本発明は、上記事情に鑑みてなされたもので、容器の持ち手孔からの内容物の飛び出しを防ぐことが可能な蓋体及び蓋体付き容器の提供を目的とする。
【課題を解決するための手段】
【０００６】
上記目的を達成するためになされた請求項１の発明は、上面開放の箱形をなしかつ側壁に持ち手孔が貫通形成された容器と、前記容器の上面開口を閉塞する蓋体とからなる蓋体付き容器であって、前記蓋体は、前記持ち手孔を前記容器の内側から覆う孔カバー部を下面に備え、前記容器は、前記側壁の内側面のうち前記持ち手孔の真上部分を陥没させてなる凹部を備える蓋体付き容器である。
【０００７】
請求項２の発明は、前記蓋体を前記容器に固定するための複数の係止片が前記蓋体に備えられている請求項１に記載の蓋体付き容器である。
【発明の効果】
【００１１】
本開示の構成によれば、蓋体が容器に取り付けられると、容器の持ち手孔が蓋体の孔カバー部によって覆われて、内容物の飛び出しが防がれる。また、孔カバー部は、容器の持ち手孔を容器の外側からではなく内側から覆うので、持ち手孔が孔カバー部により覆われた状態でも、持ち手孔に外方から手を差し込むことができる。
【図面の簡単な説明】
【００１６】
【図１】本発明の第１実施形態に係る蓋体付き容器の斜視図
【図２】容器の斜視図
【図３】蓋体付き容器の斜視断面図
【図４】蓋体の斜視図
【図５】蓋体の背面側斜視図
【図６】蓋体付き容器におけるコーナー突部周辺の拡大断面図
【図７】蓋体における係止片周辺の拡大図
【図８】蓋体付き容器の側断面図
【図９】蓋体付き容器を重ねた状態の孔カバー部周辺の断面図
【図１０】蓋体付き容器の側断面図
【図１１】蓋体付き容器の側断面図
【図１２】蓋体付き容器の側断面図
【図１３】蓋体付き容器の側断面図
【図１４】蓋体を重ねた状態の斜視図
【図１５】蓋体を重ねた状態の孔カバー部周辺の断面図
【図１６】本発明の第２実施形態に係る蓋体付き容器の側断面図
【図１７】変形例に係る蓋体付き容器の側断面図
【図１８】変形例に係る蓋体付き容器の側断面図
【図１９】変形例に係る蓋体付き容器の側断面図
【図２０】変形例に係る蓋体付き容器の斜視断面図
【発明を実施するための形態】
【００１７】
［第１実施形態］
以下、本発明に係る第１実施形態を図１〜１５に基づいて説明する。図１には、蓋体２０を上端部に備えた容器１１が示されている。この容器１１は、例えば、鶏、野菜等の内容物を保管、運搬する際に使用される。なお、この蓋体２０と容器１１とから本発明の「蓋体付き容器１０」が構成される。
【００１８】
図２に示すように、容器１１は、平面視長方形状の底壁１２の外周部から側壁１３が起立した略直方体状をなし、上面に開口１１Ａを有している。底壁１２及び側壁１３は全体が貫通孔１５を複数有した略格子構造になっていて、容器１１がかご構造となっている。側壁１３は、容器１１の下端から上端に向かうに従って縦横の開口幅が徐々に大きくなるように傾斜している。なお、側壁１３には、強度保持のための補強部１３Ｈが複数形成されている。この補強部１３Ｈは、僅かに外方に向けて膨らんでいる。
【００１９】
容器１１の上端部には、周方向全体に亘って嵌合部１４が形成されている。図３に示すように、嵌合部１４は、容器１１の側壁１３における上端部を外側に折り返してなる。具体的には、嵌合部１４は、側壁１３の上端部から外側水平方向に張り出した鍔壁１４Ａと、その鍔壁１４Ａの先端部から垂直下方に垂下した折返壁１４Ｂとを備え、これにより側壁１３における上端部を外側に折り返した構造になっている。また、側壁１３の外面には複数のリブ１４Ｌが垂直方向に延びており、それらリブ１４Ｌが嵌合部１４の鍔壁１４Ａ及び折返壁１４Ｂにも繋がっている。
【００２０】
図２に示すように、側壁１３のうち底壁１２の短辺側外縁部から起立した短辺側壁１３Ａには、手を差し込むことが可能な持ち手孔１６が貫通形成されている。持ち手孔１６は、横長の長方形状をなし、短辺側壁１３Ａの上端寄り位置における横方向の中央に配されている。また、短辺側壁１３Ａの内側面における持ち手孔１６の上方部分はその周囲から僅かに陥没した凹部１３Ｂとなっている。
【００２１】
図４には、蓋体２０が示されている。蓋体２０は、容器１１（図２参照）の平面形状に対応した長方形をなし、容器１１の上面に取り付けられて容器１１の開口１１Ａを閉塞する。また、図４及び図５に示すように、蓋体２０の外縁部には溝形枠部２１が備えられ、溝形枠部２１の内部に容器１１の嵌合部１４（図３参照）が収容される。詳細には、溝形枠部２１は、嵌合部１４の鍔壁１４Ａに面当接する上面壁２１Ａと、上面壁２１Ａの外縁全体から下方に垂下して嵌合部１４を側方から包囲する包囲壁２１Ｂと、容器１１の開口１１Ａ内側に嵌合する内側嵌合壁２１Ｃとを備えてなる。
【００２２】
蓋体２０のうち溝形枠部２１の内側部分には、下方に向かって開放した溝形をなす溝形梁２０Ｍが縦横に張り巡らされている。また、溝形梁２０Ｍ同士の間に生じた開口２０Ｎには、格子リブ２０Ｌが設けられていて、蓋体２０に複数の貫通孔２６が形成されている。さらに、蓋体２０には荷物収容口２５が形成されていて、この荷物収容口２５はスライド扉２７により開閉されるようになっている。なお、本発明の「下面」は、蓋体２０の裏面であればどこでもよく、本実施形態では、溝形梁２０Ｍの上壁２０Ｊの下面２０Ｕ（図８参照）が本発明の「下面」に相当する。
【００２３】
図４に示すように、溝形枠部２１のうち４隅の角部には、上方に突出したコーナー突部２２が設けられている。コーナー突部２２は、蓋体２０の外縁部に沿ったＬ字状をなし、溝形枠部２１の上面壁２１Ａを上方に突出させてなる。具体的には、図６に示すように、コーナー突部２２は、上面壁２１Ａの外縁部から上面壁２１Ａの板厚の約２倍分内側にずれた位置から上方に起立した外側突壁２２Ａと、上面壁２１Ａの内縁部から上面壁２１Ａの板厚の約２倍分外側にずれた位置から上方に起立した内側突壁２２Ｂと、外側突壁２２Ａと内側突壁２２Ｂとの上端同士を連絡する連絡壁２２Ｃと、を備えている。
【００２４】
また、図４に示すように、溝形枠部２１の包囲壁２１Ｂのうち蓋体２０の長辺側外縁部に配された長辺側包囲壁２１Ｎには、その両端寄り位置に、係止片２３が設けられている。係止片２３は、長辺側包囲壁２１Ｎの下端部に配され、内側に向けて突出している。詳細には、図７に示すように、係止片２３は、長辺側包囲壁２１Ｎの外側面から面一に延びた外面２３Ａと、長辺側包囲壁２１Ｎの内側面の下端部から内側に延びた上面２３Ｂと、上面２３Ｂの内側端部から下方に向かうに従って外方へ傾斜した内側傾斜面２３Ｃと、外面２３Ａと内側傾斜面２３Ｃとの下端部同士を水平に連絡する下面２３Ｄと、を有したブロック状をなしている。そして、溝形枠部２１の内部に容器１１の嵌合部１４（図２参照）が収容された状態で、この係止片２３の上面２３Ｂが嵌合部１４の折返壁１４Ｂの下端面に当接する。なお、蓋体２０のコーナー突部２２には、蓋体２０同士を重ねたときに上方の蓋体２０の係止片２３との干渉を避けるための係止片受容孔２２Ｋが形成されている（図４参照）。
【００２５】
さて、図１に示すように、蓋体２０における短辺側外縁寄り位置の横方向の中央には、本発明の孔カバー部３０が設けられている。孔カバー部３０は、蓋体２０の溝形梁２０Ｍより下方に突出し、容器１１の持ち手孔１６を容器１１の内側から覆っている。図５及び図８に示すように、孔カバー部３０は、溝形梁２０Ｍの側壁２０Ｓを下方へ延長させて容器１１の側壁１３内面における持ち手孔１６の開口に対して離れて対向した孔対向突壁３０Ａ（本発明の「孔対向部」に相当する）と、格子リブ２０Ｌを下方へ延長させてなりかつ孔対向突壁３０Ａの両側縁部から持ち手孔１６側に突出する１対の側方カバー壁３０Ｃ，３０Ｃと、孔対向突壁３０Ａの下縁部から持ち手孔１６側に略水平に突出する下方カバー壁３０Ｂとで構成されたフード構造をなしている。そして、孔カバー部３０の孔対向突壁３０Ａと容器１１の持ち手孔１６の開口との間に、本発明の手差し空間３１が形成されている。
【００２６】
孔カバー部３０は、下方に向かうにつれて窄んでいる。詳細には、孔対向突壁３０Ａは、下方に向かうに従って外側に近づくように傾斜すると共に、水平方向の幅が少しずつ小さくなっている。そして、１対の側方カバー壁３０Ｃ，３０Ｃは、孔対向突壁３０Ａの両側辺に沿って、下方に向かうに従って互いに近づくように傾斜している。
【００２７】
図８に示すように、孔カバー部３０のうち側方カバー壁３０Ｃ，３０Ｃは、孔対向突壁３０Ａの上端部と内側嵌合壁２１Ｃとの間を連絡している。さらに、側方カバー壁３０Ｃ，３０Ｃの外側端面は、内側嵌合壁２１Ｃの下端部から下方に向かうに従って内側に近づくように傾斜したのち鉛直下方に延びている。そして、下方カバー壁３０Ｂは、その外側端面が側方カバー壁３０Ｃ，３０Ｃの外側端面と面一になるように構成されている。これにより、側方カバー壁３０Ｃ，３０Ｃ及び下方カバー壁３０Ｂの外側端面と容器１１の内側面との間に隙間が生じている。また、下方カバー壁３０Ｂの上面は、持ち手孔１６の下辺部内面に対して面一となっている。なお、本実施形態の孔カバー部３０には水抜き孔３０Ｍ（図５及び図８参照）が形成されているが、この水抜き孔３０Ｍはあってもなくてもよい。
【００２８】
また、蓋体２０のうち、孔カバー部３０の孔対向突壁３０Ａ、側方カバー壁３０Ｃと内側嵌合壁２１Ｃとに囲まれた部分は孔カバー部３０と連通した蓋孔２０Ａとなっていて、蓋体２０を複数重ねたときに上側の蓋体２０の孔カバー部３０が、下側の蓋体２０の孔カバー部３０内に受容される。
【００２９】
本実施形態の構成は以上である。次に、本実施形態の作用効果について説明する。本実施形態の蓋体２０は、上方から押し込まれることで容器１１に取り付けられる。このとき、蓋体２０の係止片２３が容器１１の折返壁１４Ｂの下端面に係止することで蓋体２０が容器１１に固定される。なお、係止片２３には内側傾斜面２３Ｃが形成されているので、蓋体２０を容器１１に向けてスムーズに押し込むことができる。また、本実施形態の蓋体２０及び容器１１は、貫通孔１５，２６が形成されているので、鶏等の生き物の収容にも適している。
【００３０】
保管時又は運搬時には、複数の容器１１が蓋体２０を取り付けられた状態で積み重ねられる。このとき、上側の容器１１が、下側の容器１１の蓋体２０のコーナー突部２２内に位置決めされるので、これら容器１１のがたつきが抑えられる（図９参照）。
【００３１】
ここで、本実施形態の容器１１には、手を差し込み可能な持ち手孔１６が設けられているが、これにより持ち手孔１６から内容物が飛び出してしまうことが考えられる。これに対して、本実施形態では、蓋体２０を容器１１に取り付けると、容器１１の持ち手孔１６が蓋体２０の孔カバー部３０に覆われるので、持ち手孔１６からの内容物の飛び出しを防ぐことができる。また、容器１１に鶏を収容した場合、鶏に手をつつかれることも防がれる。
【００３２】
また、孔カバー部３０が蓋体２０に形成されているため、蓋体２０を取り付けるだけで容器１１の持ち手孔１６を防ぐことができ、持ち手孔１６を覆う作業と蓋体２０を取り付ける作業とを別個に行う構成とするよりも作業効率が高くなる。さらに、孔カバー部３０は、容器の持ち手孔１６を容器１１の外側からではなく内側から覆うので、持ち手孔１６が孔カバー部３０により覆われた状態でも、持ち手孔１６に外方から手を差し込むことができる。
【００３３】
しかも、孔カバー部３０はフード構造をなし、持ち手孔１６の開口と孔カバー部３０の孔対向突壁３０Ａとの間に手差し空間３１が形成されるので、図１０に示すように、容器１１の持ち手孔１６に容易に手を差し込める。また、孔対向突壁３０Ａから側方カバー壁３０Ｃ，３０Ｃと下方カバー壁３０Ｂとが持ち手孔１６側に突出しているので、孔対向突壁３０Ａと持ち手孔１６の開口との間から内容物が飛び出ることが防がれる。さらに、孔カバー部３０をフード構造として孔対向突壁３０Ａと持ち手孔１６の開口との間からの内容物の飛び出しを規制することで、手差し空間３１を大きくとることができるので、持ち手孔１６に手を差し込むことがさらに容易となる。また、この持ち手孔１６には、図１１に示すように、フックなどを差し込んでもよい。
【００３４】
また、蓋体２０から孔対向突壁３０Ａが突出しているだけの構造では、孔対向突壁３０Ａの先端部により内容物が傷つけられる虞があるが、孔カバー部３０をフード構造とし、孔対向突壁３０Ａの下縁部から略水平に突出した下方カバー壁３０Ｂを設けることで、内容物に傷がつくことも防がれる。さらに、下方カバー壁３０Ｂの上面が、持ち手孔１６の下辺部内面に対して面一となっているので、下方カバー壁３０Ｂの先端部にひっかかることなく、持ち手孔１６に手をスムーズに差し込める。しかも、側方カバー壁３０Ｃ，３０Ｃ及び下方カバー壁３０Ｂが、それらの外側端面と容器１１の内側面との間に隙間が生じるように構成されているため、容器１１に蓋体２０を取り付ける際に、例えば、下方カバー壁３０Ｂの下面が容器１１の短辺側壁１３Ａにおける持ち手孔１６の下辺部内面に当接するなどして手間取ることが防がれる。
【００３５】
また、蓋体２０における孔カバー部３０の上方部には蓋孔２０Ａが形成されているので、図１２に示すように、蓋孔２０Ａに手やフックをかけて引き摺るように容器１１を移動させることも可能となる。さらに、持ち手孔１６と蓋孔２０Ａとが連通するので、図１３に示すように、嵌合部１４及び溝形枠部２１を握るようにして、容器１１を持ち上げることもできる。また、持ち手孔１６から蓋孔２０Ａにかけてロープ等を通して結ぶことで蓋体２０と容器１１との固定を強固にすることもできる。
【００３６】
また、蓋体２０は使用されないときは、蓋体２０同士を重ねて保管される。ここで、本実施形態の蓋体２０には孔カバー部３０が設けられているため、この孔カバー部３０が下方の蓋体２０とぶつかり、嵩張ると考えられる。しかしながら、本実施形態の蓋体２０には、蓋孔２０Ａが形成されていて、蓋体２０を複数重ねたときに上側の蓋体２０の孔カバー部３０が、下側の蓋体２０の孔カバー部３０内に受容されるので、複数の蓋体２０をコンパクトにまとめることができる（図１４及び図１５参照）。なお、図１４及び図１５においては、蓋体２０が裏返された状態で重ねられている。
【００３７】
［第２実施形態］
本発明に係る第２実施形態は図１６に示されていて、上記第１実施形態とは蓋体２０Ｗの孔カバー部３０Ｗの構成が異なっている。詳細には、本実施形態の蓋体２０Ｗでは、孔カバー部３０Ｗの側方カバー壁３０Ｃ，３０Ｃ及び下方カバー壁３０Ｂが、孔対向突壁３０Ａから容器１１Ｗの短辺側壁１３Ａの内側面まで延びていて、孔カバー部３０Ｗが容器１１の短辺側壁１３Ａにおける持ち手孔１６の開口縁に突き合わされている。また、孔カバー部３０Ｗの孔対向突壁３０Ａは、溝形梁２０Ｍにおける上壁２０Ｊの下面２０Ｕから孔対向突壁３０Ａの中間位置まで延びた第１傾斜部３０Ｌと、その中間位置から下方カバー壁３０Ｂまで延びた第２傾斜部３０Ｍとを有している。第１傾斜部３０Ｌは水平方向に対して８０度程の傾斜になっているのに対し、第２傾斜部３０Ｍは、水平方向に対して５０度程の傾斜になっている。
【００３８】
本実施形態によれば、孔カバー部３０Ｗと容器１１Ｗの持ち手孔１６の開口縁との間に隙間がなくなるため、持ち手孔１６からの内容物の飛び出しがより防がれる。
【００３９】
また、蓋体２０Ｗが取り付けられた状態で容器１１Ｗを水洗いすると、蓋孔２０Ａから孔カバー部３０Ｗ内に流入した水が容器１１Ｗの持ち手孔１６から排出される。このとき、孔対向突壁３０Ａ上を流れる水が第１傾斜部３０Ｌで略垂直方向に落下したのちに、第２傾斜部３０Ｍによって持ち手孔１６側に案内されるので、孔カバー部３０Ｗ外へスムーズに排出されやすくなり、孔カバー部３０Ｗに水が残ることが防がれる。特に、鶏を収容した場合、鶏の排泄物が孔カバー部３０Ｗの内側に溜ってしまうことが考えられるが、本実施形態によれば、洗浄時の水がスムーズに排出されるので、孔カバー部３０Ｗを衛生的に保つことができる。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）上記実施形態では、孔カバー部３０，３０Ｗが容器１１，１１Ｗの持ち手孔１６の全体を覆っていたが、図１７に示すように、持ち手孔１６の一部のみを覆う構成であってもよい。
【００４２】
（２）上記実施形態では、孔カバー部３０，３０Ｗがフード構造をなしていたが、図１８及び図１９に示すように孔対向突壁３０Ａが垂下しただけの構成であってもよい。この場合、図１８に示すように孔対向突壁３０Ａと持ち手孔１６の開口との間に手差し空間３１を有していてもよいし、図１９に示すように手差し空間３１を有していなくてもよい。
【００４３】
また、図１９に示される構成とした場合であっても、容器１１に凹部１３Ｂが形成されているので、容器１１に手をかけやすくなっている。なお、この凹部１３Ｂは形成されていなくてもよい。その場合、孔対向突壁３０Ａを可撓性部材とすることが好ましい。
【００４４】
（３）上記実施形態では、孔カバー部３０，３０Ｗが持ち手孔１６に対応する部分のみから垂下されていたが、図２０に示すように、蓋体２０の短辺側外縁部の全体から垂下される構成であってもよい。また、蓋体２０の外縁部全体から垂下される構成であってもよい。
【００４５】
（４）上記実施形態では、孔カバー部３０，３０Ｗの下方カバー壁３０Ｂの上面が、持ち手孔１６の下辺部内面に対して面一となっていたが、これに限られるものではない。例えば、下方カバー壁３０Ｂの上面が持ち手孔１６の下辺部内面の下方に位置する場合であっても、持ち手孔１６に手をスムーズに差し込むことができる。
【００４６】
（５）上記実施形態では、蓋体２０，２０Ｗにおける孔カバー部３０，３０Ｗの上方部に蓋孔２０Ａが設けられていたが、この部分に格子リブ２０Ｌ等を設けた構成であってもよい。
【００４７】
（６）上記実施形態では、容器１１が貫通孔１５を有するかご構造になっていたが、貫通孔を有さない箱構造であってもよい。
【００４８】
（７）また、蓋体２０，２０Ｗも、貫通孔を有さない構成であってもよい。この場合、第２実施形態のように、孔カバー部３０Ｗを持ち手孔１６の開口縁に突き合わせる構成とすることで、密閉性を向上することができる。
【００４９】
（８）上記実施形態では、蓋体２０が容器１１と別体となっていたが、ヒンジ等で回動可能に固定されていてもよい。
【００５０】
（９）孔対向突壁３０Ａと下方カバー壁３０Ｂとの接続部分を上記実施形態よりも大きなＲで形成してもよい。同様に、孔対向突壁３０Ａと側方カバー壁３０Ｃ，３０Ｃとの接続部分や下方カバー壁３０Ｂと側方カバー壁３０Ｃ，３０Ｃとの接続部分を上記実施形態よりも大きなＲで形成してもよい。
【００５１】
（１０）また、孔対向突壁３０Ａと下方カバー壁３０Ｂとが継ぎ目なく連続して延び、持ち手孔１６の開口縁寄り位置まで大きく湾曲している構成であってもよい。
【符号の説明】
【００５２】
１１，１１Ｗ    容器
１３    側壁
１６    持ち手孔
２０，２０Ｗ    蓋体
２０Ａ    蓋孔
３０，３０Ｗ    孔カバー部
３０Ａ    孔対向突壁
３０Ｂ    下方カバー壁
３０Ｃ    側方カバー壁
３１    手差し空間
【図１】
0006611121.tif 000002
【図２】
0006611121.tif 000003
【図３】
0006611121.tif 000004
【図４】
0006611121.tif 000005
【図５】
0006611121.tif 000006
【図６】
0006611121.tif 000007
【図７】
0006611121.tif 000008
【図８】
0006611121.tif 000009
【図９】
0006611121.tif 000010
【図１０】
0006611121.tif 000011
【図１１】
0006611121.tif 000012
【図１２】
0006611121.tif 000013
【図１３】
0006611121.tif 000014
【図１４】
0006611121.tif 000015
【図１５】
0006611121.tif 000016
【図１６】
0006611121.tif 000017
【図１７】
0006611121.tif 000018
【図１８】
0006611121.tif 000019
【図１９】
0006611121.tif 000020
【図２０】
0006611121.tif 000021